【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
研究開発に関係する複数種のデータおよび情報を格納する１以上のデータベースと、
前記１以上のデータベースにアクセスして情報処理を行う管理システムと、を含み、
前記１以上のデータベースは、研究者の研究開発に関する情報である研究開発関係情報と、前記研究開発に使用される装置に関する情報である装置関係情報と、前記研究者による前記装置の利用履歴の情報である利用履歴情報と、を格納し、
前記管理システムは、前記利用履歴情報と、前記装置関係情報と、前記研究開発関係情報とに基づき、前記研究開発を支援する情報を生成し出力する、研究開発支援システム。
【請求項２】
請求項１に記載の研究開発支援システムであって、
前記装置を利用する研究者が身につける利用者センサ端末と、
前記装置に備え付けられている装置センサ端末と、を含み、
前記利用者センサ端末と前記装置センサ端末とが通信することで、前記装置を利用する研究者による前記装置の利用履歴の情報を取得する、研究開発支援システム。
【請求項３】
請求項２に記載の研究開発支援システムであって、
前記利用者センサ端末と前記装置センサ端末とは非接触または接触による通信を行い、
前記利用履歴情報は、前記装置を利用する研究者の識別子、前記装置の識別子、前記装置を利用する研究者の前記装置に対する対向開始時間および対向終了時間を含む、研究開発支援システム。
【請求項４】
請求項１、２または３に記載の研究開発支援システムであって、
前記管理システムは、
入力された検索条件に含まれるキーワードを取得し、
前記キーワードに合致または近似する候補装置を前記１以上のデータベースにおいて検索し、
前記候補装置の資産管理および仕様に関する情報を、前記装置関係情報から抽出して前記研究開発を支援する情報に含め、
前記候補装置の利用者の前記候補装置の利用時間についての情報を、前記利用履歴情報から抽出して前記研究開発を支援する情報に含め、
前記候補装置の名称および前記候補装置の利用者の名前を前記１以上のデータベースから抽出して前記研究開発を支援する情報に含め、
前記候補装置の利用者の現在従事している研究テーマを含むプロパティを前記研究開発関係情報から抽出し、前記研究開発を支援する情報に含める、研究開発支援システム。
【請求項５】
請求項１、２または３に記載の研究開発支援システムであって、
前記１以上のデータベースは、前記研究開発に関連する発注情報を格納し、
前記管理システムは、
入力された検索条件に含まれるキーワードを取得し、
前記キーワードに合致または近似する候補装置を前記１以上のデータベースにおいて検索し、
前記候補装置の資産管理の情報を、前記装置関係情報から抽出して前記研究開発を支援する情報に含め、
前記候補装置の利用者の予約時間および利用時間を含む装置利用記録、ならびに、前記候補装置の実験に供されなかったメンテナンス時間を含むメンテナンス記録を、前記利用履歴情報から抽出して前記研究開発を支援する情報に含め、
前記候補装置の名称および前記利用者の名前を前記１以上のデータベースから抽出して前記研究開発を支援する情報に含める、研究開発支援システム。
【請求項６】
請求項４または５に記載の研究開発支援システムであって、
前記管理システムは、レコメンドモデルに従って前記候補装置の利用に付随する情報を、前記１以上のデータベースから抽出し、前記研究開発を支援する情報に含める、研究開発支援システム。
【請求項７】
請求項１、２または３に記載の研究開発支援システムであって、
前記管理システムは、
入力された検索条件に含まれるキーワードを取得し、
前記キーワードに合致または近似する候補研究開発テーマを、前記研究開発関係情報において検索し、
前記候補研究開発テーマの名称、実施項目、達成目標および従事者の名前を含む研究計画に関する情報を、前記研究開発関係情報から抽出して前記研究開発を支援する情報に含め、
前記従事者が前記候補研究開発テーマで利用している装置の名称を、前記装置関係情報から抽出して前記研究開発を支援する情報に含め
前記従事者が前記候補研究開発テーマで利用している装置の予約時間および利用時間を含む装置利用記録を、前記利用履歴情報から抽出して前記研究開発を支援する情報に含める、研究開発支援システム。
【請求項８】
請求項７に記載の研究開発支援システムであって、
前記管理システムは、レコメンドモデルに従って前記研究計画に付随する情報を、前記１以上のデータベースから抽出し、前記研究開発を支援する情報に含める、研究開発支援システム。
【請求項９】
請求項１、２または３に記載の研究開発支援システムであって、
前記管理システムは、
研究者を指定する検索条件の入力を受け付け、
前記指定された研究者が担当している研究開発テーマの名称、実施項目および達成目標を含む研究計画に関する情報を、前記研究開発関係情報から抽出して前記研究開発を支援する情報に含め、
前記指定された研究者が担当している研究開発テーマから選択された一つの研究開発テーマの指定を受け付け、
前記指定された研究開発テーマにおける前記研究者が利用している装置の名称を、前記装置関係情報から抽出して前記研究開発を支援する情報に含め、
前記指定された研究開発テーマにおける前記研究者の装置の利用履歴を、前記利用履歴情報から抽出して前記研究開発を支援する情報に含め、
前記指定された研究者の実験に関する記録を、前記研究開発関係情報から抽出して前記研究開発を支援する情報に含める、研究開発支援システム。
【請求項１０】
請求項９に記載の研究開発支援システムであって、
前記管理システムは、レコメンドモデルに従って前記指定された研究者の研究開発に関連する情報を、前記１以上のデータベースから抽出して前記研究開発を支援する情報に含める、研究開発支援システム。
【請求項１１】
請求項９に記載の研究開発支援システムであって、
前記指定された研究者の実験に関する記録は、
前記指定された研究者が記載した紙または電子化された実験ノートの記載内容、
前記指定された研究者が実験に使用した装置から出力された電子化された実験データ、
前記実験データをもとに作成された図表、
前記指定された研究者が考えた研究開発に関するアイデア、および
実験結果の考察に関するメモ書き、
の少なくとも一つを含む、研究開発支援システム。
【請求項１２】
請求項１、２または３に記載の研究開発支援システムであって、
前記管理システムは、
入力された検索条件に含まれる材料または物質に関するキーワードを取得し、
前記キーワードに合致または近似する候補研究開発テーマを、前記研究開発関係情報において検索し、
前記候補研究開発テーマの名称、実施期間、および成果物に関する情報を、前記研究開発関係情報から抽出して前記研究開発を支援する情報に含め、
前記候補研究開発テーマの研究者の名前および前記候補研究開発テーマで使用された装置の名称を前記１以上のデータベースから抽出して前記研究開発を支援する情報に含め、
前記候補研究開発テーマで使用された装置の利用履歴を、前記利用履歴情報から抽出して前記研究開発を支援する情報に含め、
前記候補研究開発テーマで使用された装置の資産管理および仕様に関する情報を、前記装置関係情報から抽出して前記研究開発を支援する情報に含め、
前記候補研究開発テーマの研究者の所属、専門分野、および現在従事している研究テーマを含む研究情報を、前記研究開発関係情報から抽出して前記研究開発を支援する情報に含める、研究開発支援システム。
【請求項１３】
請求項１２に記載の研究開発支援システムであって、
前記管理システムは、レコメンドモデルに従って前記キーワードに合致または近似する材料に関連する情報を、前記１以上のデータベースから抽出して前記研究開発を支援する情報に含める、研究開発支援システム。
【請求項１４】
請求項１、２または３に記載の研究開発支援システムであって、
前記１以上のデータベースは、事業または製品に関する売上についての情報である売上情報を格納し、
前記管理システムは、
入力された検索条件に含まれるキーワードを取得し、
前記キーワードに合致または近似する候補研究開発テーマを、前記研究開発関係情報において検索し、
前記候補研究開発テーマの名称、および、前記候補研究開発テーマに研究資金を払っている事業の名称または前記候補研究開発テーマに関連付けられている事業もしくは製品の名称を、前記研究開発関係情報から抽出して前記研究開発を支援する情報に含め、
前記事業または前記製品に関する売上の情報を、前記売上情報から抽出して前記研究開発を支援する情報に含める、研究開発支援システム。
【請求項１５】
請求項１、２または３に記載の研究開発支援システムであって、
前記１以上のデータベースは、事業または製品に関する売上についての情報である売上情報を格納し、
前記管理システムは、
入力された検索条件に含まれるキーワードを取得し、
前記キーワードに合致または近似する事業または製品の名称および前記事業または前記製品に関する売上の情報を、前記売上情報から抽出して前記研究開発を支援する情報に含め、
前記事業または前記製品から研究資金を受けている研究開発テーマの名称を、前記研究開発関係情報から抽出して前記研究開発を支援する情報に含める、研究開発支援システム。